(57)【要約】  本開示の実施形態は、３次元複数入力複数出力（３Ｄ−ＭＩＭＯ）システムにおけるチャネル評価およびフィードバックのための方法および装置に関する。この方法は、アンテナアレイにおける複数の列についての複数の参照信号を送信することと、プリコーディング情報フィードバックの設定調整に関する、複数の参照信号に関する測定に基づいた指標情報を受信することと、複数の垂直プリコーディング情報フィードバックが性能を向上しうるときにそれが可能となるように、指標情報に基づいてプリコーディング情報フィードバックの設定を調整すること、を含む。特に、垂直プリコーディング情報フィードバックは、アンテナアレイにおける複数の列についての複数の垂直プリコーディング行列指標をフィードバックすることを表す。本開示の実施形態において、３Ｄ−ＭＩＭＯシステムにおけるチャネル評価およびフィードバックのための新しい解決手段が提供され、それは、より正確なビーム形成および／またはより高度な空間マルチプレクシングを達成し、それにより３Ｄ−ＭＩＭＯシステムの性能を改善する。【選択図】図３
2016533098.tif 000002
【特許請求の範囲】
【請求項１】
３次元複数入力複数出力システムにおけるチャネル評価およびフィードバックのための装置であって、
アンテナアレイにおける複数の列についての複数の参照信号を送信するよう構成された信号送信部と、
プリコーディング情報フィードバックの設定調整に関する、前記複数の参照信号に関する測定に基づいた指標情報を受信するよう構成された情報受信部と、
複数の垂直プリコーディング情報フィードバックが性能を向上しうるときにそれが可能となるように、前記指標情報に基づいて前記プリコーディング情報フィードバックの設定を調整するよう構成された設定調整部と、を備え、
前記垂直プリコーディング情報フィードバックは、前記アンテナアレイにおける前記複数の列についての複数の垂直プリコーディング行列指標をフィードバックすることを表す、
装置。
【請求項２】
前記指標情報は、前記複数の垂直プリコーディング情報フィードバックが性能の向上を得られるか否かを示す、
請求項１に記載の装置。
【請求項３】
前記指標情報は、前記複数の垂直プリコーディング情報フィードバックにより得られる性能の向上が、所定の閾値よりも高いか否かを示す、
請求項１または２に記載の装置。  
【請求項４】
前記指標情報は、前記垂直プリコーディング情報フィードバックのアップリックリソースについてのリソース要求である、
請求項１から３のいずれか１項に記載の装置。  
【請求項５】
前記指標情報は、ユーザ装置からのチャネル品質フィードバック情報の追加ビットに含まれ、または、
前記指標情報は、ランク指標により示され、または、
前記指標情報は、同一の垂直コードワードが、前記アンテナアレイの前記複数の列についてフィードバックされるか否かにより示される、
請求項１から４のいずれか１項に記載の装置。
【請求項６】
前記複数の参照信号は、前記アンテナアレイの列の一部について送信される、
請求項１から５のいずれか１項に記載の装置。
【請求項７】
前記アンテナアレイにおける前記列の一部は、前記アンテナアレイにおける、所定値よりも大きいスペースを有する列を構成する、
請求項６に記載の装置。
【請求項８】
３次元複数入力複数出力システムにおけるチャネル評価およびフィードバックのための装置であって、
アンテナアレイにおける複数の列についての複数の参照信号を受信するよう構成された信号受信部と、
前記複数の参照信号に関する測定を実行するよう構成された測定実行部と、
前記測定に基づいて、プリコーディング情報フィードバックの設定調整に関する指標情報を送信するよう構成された情報送信部と、を備える、
装置。
【請求項９】
３次元複数入力複数出力システムにおけるチャネル評価およびフィードバックのための方法であって、
アンテナアレイにおける複数の列についての複数の参照信号を送信することと、
プリコーディング情報フィードバックの設定調整に関する、前記複数の参照信号に関する測定に基づいた指標情報を受信することと、
複数の垂直プリコーディング情報フィードバックが性能を向上しうるときにそれが可能となるように、前記指標情報に基づいて前記プリコーディング情報フィードバックの設定を調整することと、を含み、
前記垂直プリコーディング情報フィードバックは、前記アンテナアレイにおける前記複数の列についての複数の垂直プリコーディング行列指標をフィードバックすることを表す、
方法。
【請求項１０】
３次元複数入力複数出力システムにおけるチャネル評価およびフィードバックのための方法であって、
アンテナアレイにおける複数の列についての複数の参照信号を受信することと、
前記複数の参照信号に関する測定を実行することと、
前記測定に基づいて、プリコーディング情報フィードバックの設定調整に関する指標情報を送信することと、を含む、
方法。
【発明の詳細な説明】
【技術分野】
【０００１】
本開示の実施形態は、一般的に無線通信技術に関し、特に、３次元複数入力複数出力（３Ｄ−ＭＩＭＯ）システムにおける、チャネル評価およびフィードバックのための方法および装置に関する。
【背景技術】
【０００２】
モバイルデータサービスの継続的な増加および新型のアプリケーションの出現に伴い、第３世代パートナーシッププロジェクト（３ＧＰＰ）機構は、ロングタームエボリューション（ＬＴＥ）の仕様とＬＴＥアドバンスト（ＬＴＥ−Ａ）の仕様とを発展させてきた。次世代の移動体通信標準において、ＬＴＥまたはＬＴＥアドバンストのシステムは、周波数分割複信（ＦＤＤ）形式と時分割複信（ＴＤＤ）形式との両方で動作しうる。
【０００３】
データレートおよびスペクトラム効率について継続的に増加している要求に応じるために、ネットワーク性能を改善する複数入力複数出力（ＭＩＭＯ）技術が提供されている。ＭＩＭＯ技術は、通信性能を改善するために送信機と受信機との両方において複数のアンテナを使用することを意味する。最近、ＭＩＭＯ技術は帯域の追加または送信電力の増加を行うことなくデータのスループットおよび接続範囲において著しい増加をもたらすことができるので、無線通信において多くの注目を惹きつけてきた。その上、ＭＩＭＯ技術はＬＴＥ／ＬＴＥ−Ａシステムの重要な特徴となってきた。
【０００４】
現在、１次元のアンテナアレイは  垂直ドメインにおいて下方へ傾けている間に、水平プリコーディングプロセスにより、水平面で順応的なビーム調整を提供できることが知られている。しかしながら、最近、ＭＩＭＯの全能力は、垂直ドメインについてユーザ仕様のビームフォーミングおよび空間マルチプレクシングが可能な２次元アンテナ平面の活用を通じて、開発されうることも見出されてきた。
【０００５】
送信および／または受信利得の改善および干渉低減を促進するために、２Ｄアンテナアレイ（アクティブアンテナシステム、ＡＡＳ）を用いたユーザ仕様のビームフォーミングおよび全次元ＭＩＭＯ（即ち、３Ｄ  ＭＩＭＯ）の研究が提案されてきた。
【０００６】
しかしながら、ＵＥ仕様のビームフォーミングおよび空間マルチプレクシングは、まだ高いドメインで提供されていない、即ち、まだ垂直プリコーディングプロセスは存在しない。３Ｄ  ＭＩＭＯは、垂直プリコーディングプロセスを伴うこの問題を解決しうる。これは、水平および垂直プリコーディングプロセスにより、それぞれ水平ドメインおよび垂直ドメインの両方に順応的なビーム適合を提供しうる。
【０００７】
ＷＯ２０１３／０２４３５１には、３Ｄアンテナ設定のコードブックを設計する方法が開示されている。本開示の解決手段は、主にコードブック設計に関し、この開示において、２つの設計されたコードブック、即ち、それぞれ水平ドメインおよび垂直ドメインに対応する水平コードブックと垂直コードブックが存在する。アンテナアレイにおける行／列それぞれについて、同じコードブックが、対応する水平／垂直チャネル状態情報の量子化に使用されうる。ユーザ設備（ＵＥ）はそれぞれ水平および垂直コードブックからプリコーディング行列指標（ＰＭＩｓ）をフィードバックし、進化型ノードＢ（ｅＮＢ）において、３Ｄプリコーディング行列は、２つのＰＭＩｓから構成されるであろう。
【０００８】
中国特許出願公報Ｎｏ．ＣＮ１０２９３８６８８Ａにおいて、多次元アンテナアレイのチャネル測定およびフィードバックの解決手段が開示され、ここにおいて、ｅＮＢは同じサブフレームまたは異なるサブフレームにおいて水平参照信号および垂直参照信号に対応する２つの形式の参照信号を送信し、ＵＥはｅＮＢから２つの形式の参照信号を受信し、ｅＮＢでの水平ＣＳＩおよび垂直ＣＳＩに対応する２つのクラスＣＳＩを測定しフィードバックする。
【０００９】
その上、「高優先アンテナ設定についてのＣＳＩフィードバック改善についての考察」と名付けられた３ＧＰＰ文献Ｒ１−１１２４２０において、水平プリコーディング行列と垂直プリコーディング行列とにより３Ｄプリコーディング行列を形成する特定の方法が存在する。図示する目的で、図１は、文献に開示されているような解決手段の概要図を図示している。図１に図示されているように、垂直ＣＳＩ−ＲＳおよび水平ＣＳＩ−ＲＳは、サブフレーム１においてＵＥへ送信され、水平ＣＳＩおよび垂直ＣＳＩについての２つの４ＴｘＰＭＩｓ選択およびフィードバックが、それぞれＵＥから受信される。そして、ｅＮＢは、外挿法により水平および垂直ＰＭＩｓに基づいてＣＳＩを再構築しうる。  
【発明の概要】
【発明が解決しようとする課題】
【００１０】
しかしながら、先行技術の上記解決手段は、それら自身の欠点を有し、特に、これらの解決手段は、性能の損失をもたらしうる。即ち、３Ｄ−ＭＩＭＯシステムのチャネル評価およびフィードバックについて改良された構成が必要とされている。
【００１１】
前述の観点によれば、本開示は、先行技術における問題の少なくとも一部を解決または少なくとも部分的に改善するように、３Ｄ  ＭＩＭＯシステムにおけるチャネル評価およびフィードバックのための新しい解決手段を提供する。
【課題を解決するための手段】
【００１２】
本開示の第１の観点によれば、３Ｄ  ＭＩＭＯシステムにおけるチャネル評価およびフィードバックのための方法が提供される。上記方法は、
アンテナアレイにおける複数の列についての複数の参照信号を送信することと、
プリコーディング情報フィードバックの設定調整に関する、複数の参照信号に関する測定に基づいた指標情報を受信することと、
複数の垂直プリコーディング情報フィードバックが性能を向上しうるときにそれが可能となるように、指標情報に基づいてプリコーディング情報フィードバックの設定を調整することと、を含み、
複数の垂直プリコーディング情報フィードバックは、アンテナアレイにおける複数の列についての垂直プリコーディング行列指標をフィードバックすることを表していてもよい。
【００１３】
また、本開示の第２の観点によれば、３Ｄ  ＭＩＭＯシステムにおけるチャネル評価およびフィードバックのための方法が提供される。上記方法は、
アンテナアレイにおける複数の列の複数の参照信号を受信することと、
複数の参照信号に関する測定を実行することと、
測定に基づいて、プリコーディング情報フィードバックの設定調整に関する指標情報を送信することと、を含んでもよい。
【００１４】
また、本開示の第３の観点によれば、３Ｄ  ＭＩＭＯシステムにおけるチャネル評価およびフィードバックのための装置が提供される。上記装置は、
アンテナアレイにおける複数の列についての複数の参照信号を送信するよう構成された信号送信部と、
プリコーディング情報フィードバックの設定調整に関する、複数の参照信号に関する測定に基づいた指標情報を受信するよう構成された情報受信部と、
複数の垂直プリコーディング情報フィードバックが性能を向上しうるときにそれが可能となるように、指標情報に基づいてプリコーディング情報フィードバックの設定を調整するよう構成された設定調整部と、を備え、
複数の垂直プリコーディング情報フィードバックは、アンテナアレイにおける複数の列についての複数の垂直プリコーディング行列指標をフィードバックすることを表していてもよい。
【００１５】
また、本開示の第４の観点によれば、３Ｄ  ＭＩＭＯシステムにおけるチャネル評価およびフィードバックのための装置が提供される。上記装置は、
アンテナアレイにおける複数の列についての複数の参照信号を受信するよう構成された参照信号受信部と、
複数の参照信号に関する測定を実行するよう構成された信号測定実行部と、
測定に基づいて、プリコーディング情報フィードバックの設定調整に関する指標情報を送信するよう構成された指標情報送信部と、を備えていてもよい。
【００１６】
更に、本開示の第５の観点によれば、装置に、第１の観点の任意の１つの実施形態に係る方法で動作を実行させるよう構成されているコンピュータプログラムコードが組み込まれたコンピュータ読み取り可能な記録媒体が提供される。
【００１７】
更に、本開示の第６の観点によれば、装置に、第２の観点の任意の１つの実施形態に係る方法で動作を実行させるよう構成されているコンピュータプログラムコードが組み込まれたコンピュータ読み取り可能な記録媒体が提供される。
【００１８】
本開示の第７の観点によれば、第５の観点に係るコンピュータ読み取り可能な記録媒体を備えるコンピュータプログラム製品が提供される。
【００１９】
本開示の第８の観点によれば、第６の観点に係るコンピュータ読み取り可能な記録媒体を備えるコンピュータプログラム製品が提供される。
【００２０】
本開示の第９の観点によれば、プロセッサとコンピュータコードを有する少なくとも１つのメモリとを備え、上記コンピュータコードが、実行されると、上記プロセッサに、第１の観点の任意の１つの実施形態に係る方法での動作を実行させるよう構成されている、３次元複数入力複数出力システムにおけるチャネル評価およびフィードバックのための装置が提供される。
【００２１】
本開示の第１０の観点によれば、プロセッサとコンピュータコードを有する少なくとも１つのメモリとを備え、上記コンピュータコードが、実行されると、上記プロセッサに、第２の観点の任意の１つの実施形態に係る方法での動作を実行させるよう構成されている、３次元複数入力複数出力システムにおけるチャネル評価およびフィードバックのための装置が提供される。
【００２２】
本開示の実施形態において、３Ｄ−ＭＩＭＯシステムにおけるチャネル評価およびフィードバックのための新しい解決手段が提供され、それはより正確なビーム形成および／またはより高次の空間マルチプレスシングを達成することにより、３Ｄ−ＭＩＭＯシステムの性能を向上させうる。
【００２３】
本開示の前述および他の特徴は、添付図面を参照する実施形態で説明されているような実施形態に関する詳細な説明を通じてより明らかになるであろう。参照番号は、同じまたは類似の構成を示す。
【図面の簡単な説明】
【００２４】
【図１】先行技術に含まれる３Ｄプリコーディング行列の構成を概略的に示す図である。
【図２】本開示の実施形態に係る３Ｄ−ＭＩＭＯシステムにおけるチャネル評価およびフィードバックのための例示的なシステムの構成を概略的に示す図である。
【図３】本開示の実施形態に係る複数の垂直プリコーディング情報フィードバックの構成を概略的に示す図である。
【図４】本開示の実施形態に係る３Ｄ−ＭＩＭＯシステムにおけるチャネル評価およびフィードバックのための方法のフローチャートを概略的に示す図である。
【図５】本開示の他の実施形態に係る３Ｄ−ＭＩＭＯシステムにおけるチャネル評価およびフィードバックのための方法のフローチャートを概略的に示す図である。
【図６】１６ＤＦＴコードブックによる８要素の垂直アンテナパターンの構成を概略的に示す図である。
【図７】本開示の実施形態に係る３Ｄ−ＭＩＭＯシステムにおけるチャネル評価およびフィードバックのための信号フローチャートを概略的に示す図である。
【図８】本開示の実施形態に係る３Ｄ−ＭＩＭＯシステムにおけるチャネル評価およびフィードバックのための装置を概略的に示すブロック図である。
【図９】本開示の他の実施形態に係る３Ｄ−ＭＩＭＯシステムにおけるチャネル評価およびフィードバックのための装置を概略的に示すブロック図である。
【図１０Ａ】異なる環境下でのＵＥのスループット累積分散関数（ＣＤＦ）の曲線を概略的に示す図である。
【図１０Ｂ】異なる環境下でのＵＥのスループット累積分散関数（ＣＤＦ）の曲線を概略的に示す図である。
【図１０Ｃ】異なる環境下でのＵＥのスループット累積分散関数（ＣＤＦ）の曲線を概略的に示す図である。
【図１０Ｄ】異なる環境下でのＵＥのスループット累積分散関数（ＣＤＦ）の曲線を概略的に示す図である。
【図１０Ｅ】アンテナアレイにおける列についてのＰＭＩ相殺ＣＤＦを概略的に示す図である。
【発明を実施するための形態】
【００２５】
以下、３Ｄ−ＭＩＭＯシステムにおけるチャネル評価およびフィードバックのための方法および装置は、添付図面を参照する実施形態を通じて詳述されるであろう。これらの実施形態は、本分野における当業者に本開示のより理解でき且つ実行できるようにするために存在するに過ぎず、あらゆる形式において本開示の範囲を限定する意図ではないことは明らかにされるべきである。
【００２６】
添付図面において、本開示の種々の実施形態は、ブロック図、フローチャートおよび他の図において示される。フローチャートまたはブロックにおける各ブロックは、特定の論理関数を実行するための１または複数の実行可能な指令を含むモジュール、プログラムまたはコードの一部を表しうる。その上、これらのブロックは、方法のステップを実行するための特定の順序で説明されているが、実際のところ、これらは厳密に説明されている順序に従って実行される必要はないかもしれない。例えば、これらは、各動作の性質によるが、逆の順序または同時に実行されてもよい。また、ブロック図および／またはフローチャートにおける各ブロックおよびこれらの組み合わせは、特定の関数／動作を実行するための専用のハードウェアに基づくシステムまたは専用のハードウェアとコンピュータの指令との組み合わせにより実行されてもよい。
【００２７】
概して、請求項で使用される全ての用語は、本明細書において明白に他の意味に定義されていない限り、本技術分野における通常の意味に従って解釈されるべきである。「ａ／ａｎ／ｔｈｅ／ｓａｉｄ［要素、装置、部品、方法、ステップ等］」で示される全ては、上記要素、装置、部品、方法、ユニット、ステップ等の少なくとも１つの実体を広く示し、明白にそうでないと記述されていない限り、複数のこれらの装置、部品、方法、ユニット、ステップ等を排除せずに解釈されるべきである。その上、本明細書で使用されているような不定冠詞「ａ／ａｎ」は、複数のこのようなステップ、ユニット、モジュール、装置および対象物等を排除しない。
【００２８】
加えて、本開示の文脈において、ユーザ機器（ＵＥ）は、端末、移動端末（ＭＴ）、加入者局（ＳＳ）、携帯用加入者局（ＰＳＳ）、移動局（ＭＳ）またはアクセス端末（ＡＴ）を示すものであってもよく、ＵＥ、端末、ＭＴ、ＳＳ、ＰＳＳ、ＭＳまたはＡＴの機能のいくつかまたは全てが含まれていてもよい。更に、本開示の文脈において、基地局（ＢＳ）は、例えばノードＢ（ＮｏｄｅＢまたはＮＢ）または進化型ノードＢ（ｅＮｏｄｅＢまたはｅＮＢ）、無線ヘッダ（ＲＨ）、遠隔無線ヘッダ（ＲＲＨ）、リレー、フェムト、ピコ等の低電力ノードを示すものであってもよい。
【００２９】
初めに、本開示の実施形態に係る３Ｄ−ＭＩＭＯシステムにおけるチャネル評価およびフィードバックのための例示的なシステムの構成を説明するために図２を参照されたい。
【００３０】
図２に示されるように、上記システムは、ＡＳＳが使用されるセル内のＵＥを受け持つｅＮＢと２つの例示されたＵＥ（即ち、ＵＥ＃１およびＵＥ＃２）を含んでもよい。本開示によれば、初期化過程において、リソースマッピングの後、参照信号がＡＡＳへ送信される。各ＵＥはチャネル品質測定を実行し、測定結果に基づいて、複数の垂直プリコーディング情報フィードバックを実行するか否かについての指標情報をフィードバックする。本開示において、複数の垂直プリコーディング情報フィードバックは、アンテナアレイの複数列についての複数の垂直プリコーディング行列指標をフィードバックすることを表す。ｅＮＢは、指標情報に基づいてプリコーディング情報フィードバックの設定を調整する。加えて、初期化過程において、プリコーディング情報フィードバックは、ｅＮＢおよびＵＥの両方により知られているデフォルト設定に基づいて各ＵＥから送信されてもよい。或いは、その代わりに、ｅＮＢは、プリコーディング情報フィードバックの設定を初期化してもよく、各ＵＥが初期化された設定に基づいてプリコーディング情報を送信してもよい。即ち、初期化過程において、３Ｄ  ＣＳＩを構成することはデフォルトまたは初期化された設定に基づいて送信されるＰＭＩフィードバックに基づいて実行される。ここで、デフォルトまたは初期化された設定は、アンテナアレイの複数の列について、複数の垂直プリコーディング情報フィードバックまたは単一の垂直プリコーディング行列指標のみをフィードバックすることを表す単一垂直プリコーディング情報フィードバックであってもよい。  
【００３１】
続くプロセスにおいて、プリコーディング情報フィードバックは、調整された設定に基づいて実行される。例えば、複数の垂直プリコーディング情報フィードバックは、それが性能を向上させうるときに実行され、さもなくば、単一垂直プリコーディング情報フィードバックが実行される。
【００３２】
図３は、本開示の実施形態に係る複数の垂直プリコーディング情報フィードバックの構成を概略的に示す。２Ｄアンテナアレイについて、複数の垂直プリコーディング情報フィードバックが可能であるとき、ＵＥから送信されたプリコーディング情報フィードバックは、アンテナアレイにおける複数の列それぞれについての複数の垂直プリコーディング行列指標と１つの水平プリコーディング行列指標とを含む。図３に示されるように、４つの行と４つの列とを含む２Ｄアンテナアレイが示される。２Ｄアンテナアレイに関する限り、ＰＭＩフィードバックは、４つの列について４つの垂直ＰＭＩ（ＷＶ１、ＷＶ２、ＷＶ３およびＷＶ４）と４つの行についての１つの水平ＰＭＩ（ＷＨ）とを含んでもよい。一方、複数の垂直プリコーディング情報フィードバックが不可能である場合、単一垂直プリコーディング情報フィードバックが実行される、即ち、ＵＥから送信されたプリコーディング情報フィードバックが１つの垂直プリコーディング行列指標および１つの水平プリコーディング行列指標のみを含む。
【００３３】
次に、本開示で提供される３Ｄ−ＭＩＭＯシステムにおけるチャネル評価およびフィードバックのための方法を説明するための図４を参照されたい。上記方法はｅＮＢのようなサービングノードにおいて実行されてもよいことは明らかかもしれない。
【００３４】
図４に示されるように、初めにステップＳ４０１において、アンテナアレイの複数の列についての複数の参照信号が、ｅＮＢからＵＥへ送信されてもよい。
【００３５】
先行技術で開示されているような全ての３Ｄプリコーディングの解決手段において、アンテナアレイの１つの列に対応する参照信号の１つの列およびアンテナアレイの１つの行に対応する参照信号の１つの行のみがＵＥへ送信される。このことは、ＵＥが垂直ＰＭＩを計算するときに水平面からの影響を考慮しないことを意味する。言い換えれば、垂直ＣＳＩは水平プリコーディングプロセスを何も考慮せずに計算される。従って、それは、３Ｄチャネル測定についての大きな評価誤差になりうる。
【００３６】
その上、異なるアンテナ列の大きなスペースについて、水平アンテナ位置は、同様に垂直チャネルに影響する。このように、異なるアンテナ列の垂直チャネル特性は異なりうる。即ち、それは全ての列について同じ垂直コードワードを適用することはもはや適切ではないかもしれない。  
【００３７】
このような理解に基づいて、本開示において、アンテナアレイにおける複数の列についての複数の参照信号をＵＥへ送信することが提案される。
【００３８】
ｅＮＢはアンテナアレイにおける各列へ参照信号を送信してもよい。しかしながら、本開示は、それに限定されない、即ち、ｅＮＢは必ずしも参照信号をアンテナアレイの各列へ送信する必要はない。それは、単にアンテナアレイの一部の列、例えば、大きいスペースを有する列（所定の閾値よりも大きいスペースを有する列）についての参照信号を送信するものであってもよい。例えば、参照信号は単にアンテナ面の両側の各列について割り振られてもよいし、或いは、アンテナアレイの左の列から右の列まで逐次割り振られてもよい。  
【００３９】
なお、参照信号は、ダウンリンク、即ち、ＣＳＩ−ＲＳ、ＣＲＳ等におけるチャネル測定に使用されてもよい任意の信号であってもよい。アンテナアレイの異なる列についてのチャネル品質測定に使用される参照信号は、同じサブフレームまたは異なるサブフレームで送信されうる。一方、水平面に対応するアンテナアレイにおける全ての行について、ｅＮＢは同じ１つの参照信号を送信してもよい。
【００４０】
そして、ステップＳ４０２において、ｅＮＢは、ＵＥから、複数の参照信号に関する測定に基づく、プリコーディング情報フィードバックの設定調整に関する指標情報を受信してもよい。
【００４１】
これらの参照信号がＵＥへ送信された後、ＵＥは参照信号に関する測定を実行し、プリコーディング情報フィードバックの設定調整に関する指標情報をフィードバックする。このことについて、以下に図５を参照しながら詳述する。
【００４２】
指標情報は、複数の垂直プリコーディング情報フィードバックが性能を向上させうるか否かを示すものであってもよい。実際、指標情報は明示的な方式または暗示的な方式のいずれであってもよい。明示的な方式について言えば、ユーザ装置からのチャネル品質フィードバック情報における追加ビットで提供され、指標情報はその追加ビットに含まれていてもよい。暗示的な方式について言えば、少なくとも２つの候補がある。
１）ランク指標（ＲＩ）を用いてもよい。これは、指標情報にとってむしろ良い選択である。複数の垂直ＰＭＩは、垂直および水平の両方のチャネル特性に強い影響を与え、ＵＥについての粒状３Ｄ空間マルチプレクシングを改善し、より高いランクを生じさせうる。その上、より高いランクを有するＵＥについてより大きな向上を生じさせうる。このように、このことは、より高いランク（例えばランク２）が複数の垂直ＰＭＩフィードバックにより性能が向上しうることを示すために用いられうることを意味する。
２）指標情報はアンテナアレイにおける複数の列について同じ垂直コードワードが送信されるか否かにより示されてもよい。デフォルトまたは初期化された設定が複数の垂直プリコーディング情報フィードバックである実施形態について、ＵＥが複数の垂直プリコーディング情報フィードバックが何ら性能の向上を得られないと判別したときに、それが複数の垂直プリコーディング情報フィードバックが性能の向上を得られないことをｅＮＢに通知するために、アンテナアレイにおける複数の列について同じ指標でもって複数の垂直ＰＭＩをフィードバックしうる。
【００４３】
加えて、また、指標情報はｅＮＢに複数の垂直プリコーディング情報フィードバックのアップリンクリソースを問い合わせるリソース要求であってもよい。ＵＥが、複数の垂直プリコーディング情報フィードバックが性能の向上を得ることができると判別すると、それは複数の垂直プリコーディング情報フィードバックのアップリンクリソースを問い合わせるためにリソース要求をＵＥへ送信してもよい。リソース要求によって、それは設定調整に関する指標情報をｅＮＢへ通知する。
【００４４】
次に、ステップＳ４０３において、プリコーディング情報フィードバックの設定は、複数の垂直プリコーディング情報フィードバックが性能を向上しうるときにそれが可能となるように、指標情報に基づいて調整される。
【００４５】
指標情報が、複数の垂直プリコーディング情報フィードバックが性能の向上を得られ、デフォルト設定が単一の垂直プリコーディング情報フィードバックであるか否かを示している、本開示の実施形態において、それが性能の向上を得られることを示す指標情報に応じて、複数の垂直プリコーディング情報フィードバックとして設定を変更し、性能の向上を得られないことを示す指標情報のときには、その設定を変更しないで維持してもよい。一方、デフォルト設定が複数の垂直プリコーディング情報フィードバックである場合、性能の向上を得られることを示す指標情報に応じてその設定を変更しないで維持し、指標情報が性能の向上を得られないことを示す指標情報の場合、単一の垂直プリコーディング情報フィードバックとしてその設定を変更してもよい。
【００４６】
加えて、また、得られた性能が所定の閾値よりも大きいときに設定が調整されてもよい。いくつかの場合、得られた性能の向上は、複数の垂直プリコーディング情報フィードバックを実行する価値がないほど小さいかもしれない。得られた性能が所定の閾値よりも高いか否かを判別することにより、これらの場合が回避されてもよい。従って、実施形態において、指標情報は、複数の垂直プリコーディング情報フィードバックにより得られる性能の向上が所定の閾値よりも高いか否かを示してもよい。
【００４７】
以上述べたように、指標情報は、複数の垂直プリコーディング情報フィードバックのアップリンクリソースについてのリソース要求であってもよい。そして、デフォルト設定が単一の垂直プリコーディング情報フィードバックである実施形態において、このようなリソース要求が受信されると、設定は複数の垂直プリコーディング情報フィードバックが可能となるように変更されてもよく、同時にｅＮＢがＵＥについての要求されたアップリンクリソースをスケジューリングしてもよい。また、ｅＮＢがこのようなリソース要求を受信しない場合、ｅＮＢは設定をそのまま維持してもよい。一方、デフォルト設定が複数の垂直プリコーディング情報フィードバックである実施形態において、ｅＮＢがこのようなソース要求を受信したことにより複数の垂直プリコーディング情報フィードバックが可能な場合、設定が変更されないで維持されてもよく、同時にｅＮＢがＵＥについてのリソース要求を受信しない場合、ｅＮＢがＵＥについての要求されたアップリンクリソースをスケジューリングしてもよい。設定は、単一の垂直プリコーディング情報フィードバックとして変更されてもよい。  
【００４８】
以下、ＵＥにおいて実行される３Ｄ−ＭＩＭＯシステムにおけるチャネル評価およびフィードバックのための方法が、図５を参照しながら詳細に説明される。
【００４９】
図示されているように、ステップＳ５０１において、ＵＥはアンテナアレイにおける複数の列についての複数の参照信号を受信する。以上に述べたように、水平面からの垂直面への影響を得るために、ｅＮＢはアンテナアレイにおける複数の列についての複数の参照信号を送信する。従って、ＵＥは、アンテナアレイにおける複数の列についての参照信号を受信する。そして、ステップＳ５０２において、チャネル品質を知るためにこれらの参照信号に関して測定が実行される。チャネル品質測定は本分野においては周知であるので、本開示を曖昧にしないために測定の詳細な動作は省略する。しかしながら、設定調整に関する指標情報を取得するために、ＵＥは、異なる設定、即ち、単一垂直プリコーディング情報フィードバックおよび複数の垂直プリコーディング情報フォードバックにおいてチャネル品質（例えば、ＳＩＮＲまたはスループット）を取得し、それが複数の垂直プリコーディング情報フィードバックが実行されるときにより良いチャネル品質に達するか否かを判別してもよい。
【００５０】
ステップＳ５０３において、ＵＥは、測定に基づいて、プリコーディング情報フィードバックの設定調整に関する指標情報を送信する。
【００５１】
以上で述べたように、指標情報は明示的な形式または暗示的な形式のいずれであってもよい。例えば、指標情報は、チャネル品質フィードバックにおける追加ビットに含まれていてもよい。加えて、指標情報は暗示的にランク指標により示されてもよい。また、デフォルトまたは初期化された設定が複数の垂直プリコーディング情報フィードバックである場合、指標情報は、アンテナアレイにおける複数の列について同じ垂直コードワードが送信されたか否かにより示されてもよい。加えて、また、ＵＥは、それが複数の垂直プリコーディング情報フィードバックが性能の向上を得られると判別した場合、ｅＮＢへ複数の垂直プリコーディング情報フィードバックのアップリンクリソースを問い合わせるリソース要求をｅＮＢへ送信してもよい。
【００５２】
単一の垂直プリコーディング情報フィードバックと比較して、複数の垂直プリコーディング情報フィードバックは、より多くの垂直ＰＭＩをフィードバックすることをＵＥに要求し、それにより対応するオーバーヘッドが増加することが判るかもしれない。発明者らは、異なる列／行についてのＰＭＩが互いに関連する場合、それがいくつかの冗長性を含みうることに気づいている。
【００５３】
冗長性の低減およびオーバーヘッドの低減のために、いくつかの設計が提案されている。１つの選択肢として、それが所定の範囲内で垂直のサイズを制限してもよい。例えば、好ましくない方向を指すコードワードが、垂直コードブックから削除されてもよい。
【００５４】
本開示の実施形態において、例えばＤＦＴ法により垂直コードブックが構築されてもよい。垂直コードブックは、異なる垂直方向に対応した異なるコードワードを含むよう構築されていてもよい。図６は１６ＤＦＴコードブックによる８要素の垂直アンテナパターンを示す。図６に示されているように、実際には、ＵＥがｅＮＢの近くに配置されることがなく、また、ＵＥの高さは、一般的にある制限を超えることがない。即ち、垂直ドメインにおけるＵＥの分布および小型のＥＳＤの特性によれば、垂直コードワード方向は、１８０度よりも小さい範囲に制限され、即ち、いくつかのコードワード（使用されることがない、または、通常使用されることがない、過度に高いまたは過度に低い方向に対応するコードワード）は、全てのＵＥについてＤＦＴコードブックから削除されうる。
【００５５】
ＤＦＴに基づくコードブックは、下記の式により表されてもよい。
【数１】
2016533098.tif 000003
ここで、ｍは要素の数を示し、ｎはコードワードの番号を示し、ＮはＤＦＴ長を示す。  
【００５６】
なお、垂直コードブックは１つのＰＭＩインデックスが異なる列の垂直ＰＭＩを表すように設計されていてもよいことに留意されるべきである。
【００５７】
通常、ＵＥは、アンテナアレイの異なる列についての同じ垂直コードワードを選択してもよいし、或いは、アンテナ要素の相関性により近くの垂直コードワードを選択してもよい。即ち、アンテナアレイの異なる列に対応する異なるコードワードが近くの方向または遠すぎない方向を有するコードワードをしばしば選択する。
【００５８】
このように、ＵＥは、アンテナアレイの列の１つに対応するＰＭＩとＰＭＩに関連する残りの列に対応するＰＭＩオフセットとをフィードバックしうる。残りの列についてのＰＭＩは、ＰＭＩおよび対応するＰＭＩオフセットに基づいて構成されてもよい。
【００５９】
加えて、ＵＥは、広帯域に関連するアンテナアレイにおける列に対応する広帯域ＰＭＩとＰＭＩオフセットとをフィードバックしうる。同様に、列についてのＰＭＩは、広帯域ＰＭＩと対応するＰＭＩオフセットに基づいて構成されてもよい。
【００６０】
ここにおいて、「ＰＭＩオフセット」という用語は、コードワード方向のオフセット、即ち、コードワード方向オフセットを表すコードワードインデックスオフセットを示す。１つの列についてのＰＭＩ水準は、１つの参照ＰＭＩおよびＰＭＩオフセットにより決定されてもよい。各オフセットのビットがＰＭＩのビット数よりも低いという観点において、オーバーヘッドが大きく低減されうる。
【００６１】
以下のテーブルは、ＰＭＩオフセットとコードワード方向オフセットとの間の関係の一例を示す。
【表１】
2016533098.tif 000004
【００６２】
実際、ｅＮＢが複数の垂直プリコーディング情報フィードバックとしてフィードバック設定を生成したとき、ＰＭＩオフセット候補のインデックス０が削除されてもよい。
【００６３】
以下、本分野における当業者がチャネル評価およびフィードバックの全てのプロセスを完全に且つよく理解できるようにするために、例示的なプロセスが記述された図７を参照されたい。
【００６４】
図７は、本開示の実施形態に係る３Ｄ−ＭＩＭＯシステムにおけるチャネル評価およびフィードバックの信号フローチャートを概略的に示す。図示されているように、ステップＳ７０１において、ｅＮＢはＵＥへ参照信号を送信する。参照信号は、垂直面に関する水平面の強い影響を考慮するために、アンテナアレイにおける複数の列についての複数の信号を構成する。ここで、ｅＮＢは複数のプリコーディング情報フィードバックを実行するのに適しているか否かについての情報を何ら認識しえない。従って、ステップＳ７０２において、ｅＮＢはＰＭＩフィードバックの設定を初期化してもよい。例えば、ｅＮＢはアンテナアレイにおける複数の列に対応する複数の垂直ＰＭＩとアンテナアレイにおける全ての行についての１つだけの水平ＰＭＩとをフィードバックするようＵＥを構成してもよい。加えて、前述したように、ＵＥは、単一の垂直プリコーディング情報フィードバックについても同様に構成されてもよい。その上、初期化を実行する代わりに、デフォルト設定を使用しうる。従って、ステップＳ７０２は選択的な処理であることは明らかかもしれない。
【００６５】
参照信号と初期化された設定とを受信した後、ＵＥはチャネル状態を認識するために、受信した参照信号に関して測定を実行する。測定結果に基づいて、ＵＥは、複数の垂直プリコーディング情報フィードバックが性能の向上を得られるか否かを判別してもよい。特に、ＵＥは、異なる設定、即ち、単一の垂直プリコーディング情報フィードバックと複数の垂直プリコーディング情報フィードバックにおいて、チャネル品質（例えば、ＳＩＮＲまたはスループット）を取得し、複数の垂直プリコーディング情報フィードバックが実行されたときに、それがより良いチャネル品質を達成しうるか否かを判別してもよい。
【００６６】
そして、ステップＳ７０３において、チャネル品質フィードバックが初期化された設定に基づいて、ＵＥからｅＮＢへ送信される。ＵＥは、複数の垂直ＰＭＩ、１つの水平ＰＭＩおよび他のＣＳＩをｅＮＢへフィードバックしてもよい。なお、プリコーディング情報フィードバックの設定調整に関する指標情報も同様にｅＮＢへ送信されてもよい。例えば、ＵＥは、明示的な形式、例えば、チャネル品質フィードバックに含まれる余剰ビットを通じて、指標情報をｅＮＢへ通知してもよい。或いは、その代わりに、ＵＥは、暗示的な形式で指標情報をｅＮＢへ通知してもよい。例えば、ランク指標が指標情報を通知するのに使用されたり、或いは、指標情報が複数の列についてフィードバックされた同一の垂直コードワードであるか否かにより表されていてもよい。例えば、同じ垂直コードワードがフィードバックされる場合、それは、性能の向上が全く得られないことを表すか、或いは、性能の向上が得られうることを表す。他の選択肢として、ＵＥは、複数の垂直プリコーディング情報フィードバックが性能の向上を得ることができる場合、そのアップリンクリソースを要求するために、ｅＮＢへリソース要求を送信してもよい。
【００６７】
水平および垂直ＰＭＩを受信した後、ＵＥは、ＷＨとＷＶとに基づく３Ｄプリコーディング行列を生成してもよい。本開示において、水平垂直ＰＭＩは、以下のように表されうるＷＨとＷＶとで示されてもよい。
【数２】
2016533098.tif 000005
【数３】
2016533098.tif 000006
ここで、ｎＨは、アンテナアレイにおける送信列の総数を示す。ｎＶは、アンテナアレイにおける送信行の総数を示す。また、ｒＨは、水平チャネルのランクを示す。ここで、水平チャネルのランクは１に設定される。  
【００６８】
３Ｄプリコーディング行列は、例えば下記のように取得されてもよい。
【数４】
2016533098.tif 000007
ここで、３Ｄプリコーディング行列における各列は、残りの列のいずれか１つと直交している。３Ｄプリコーディング行列に基づいて３Ｄプリコーディングを実行した後、ステップＳ７０４において、ｅＮＢがＵＥへプリコーディングされたデータを送信してもよい。  
【００６９】
参照信号がアンテナアレイの列の一部についてのみ送信される、本開示のいくつかの実施形態において、残りの列に対応するＰＭＩ指標は存在しない。このような場合、ｅＮＢは、近くのＰＭＩの内挿法によりＰＭＩの方向を決定してもよいし、或いは、それに代えて、ｅＮＢが、近くの列のＰＭＩの方向を直接使用してもよい。
【００７０】
一方、ｅＮＢは、ステップＳ７０５において、指標情報に基づいたＰＭＩフィードバックのメカニズムを再構成する。例えば、複数の垂直プリコーディング情報フィードバックが性能の向上を得られる場合、それは、ＵＥに、複数の垂直プリコーディング情報フィードバックの実行、即ち、アンテナアレイの複数の列についての複数の垂直ＰＭＩのフィードバックを行うよう構成してもよい。
【００７１】
その後、ＵＥは、ステップＳ７０６において、測定を実行し、新しい設定に基づいたチャネル品質情報をフィードバックしてもよい。同様に、ｅＮＢはフィードバックに基づいて、３Ｄプリコーディング行列の生成を実行し、ステップＳ７０７において、生成された３Ｄプリコーディング行列に基づいてデータがプリコーディングされた後、データをＵＥへ送信する。
【００７２】
また、前述のこれらの方法に加えて、３次元の複数入力複数出力システムにおけるチャネル評価およびフィードバックのための対応する装置が提供される。これらは、 図８および９を参照しながら説明される。
【００７３】
図８は、３次元の複数入力複数出力システムにおけるチャネル評価およびフィードバックのための装置を示し、これはｅＮＢに使用されるかもしれない。この装置は、信号送信部８１０と、情報受信部８２０と、設定調整部８３０と、を備えてもよい。信号送信部８１０は、アンテナアレイにおける複数の列についての複数の参照信号を送信するよう構成されていてもよい。情報受信部８２０は、複数の参照信号に関する測定に基づいた、プリコーディング情報フィードバックの設定調整に関する指標情報を受信するよう構成されていてもよい。設定調整部８３０は、複数の垂直プリコーディング情報フィードバックが性能を向上しうるときにそれが可能となるように、指標情報に基づいてプリコーディング情報フィードバックの設定を調整するよう構成されていてもよく、複数の垂直プリコーディング情報フィードバックは、アンテナアレイの複数の列についての複数の垂直プリコーディング行列指標をフィードバックすることを表している。
【００７４】
本開示の実施形態において、指標情報は、複数の垂直プリコーディング情報フィードバックが性能の向上を得られるか否かを示してもよい。本開示の他の実施形態において、指標情報は、複数の垂直プリコーディング情報フィードバックのアップリンクリソースについてのリソース要求であってもよい。指標情報は、ユーザ装置からのチャネル品質フィードバック情報の追加ビットの中に含まれている。また、指標情報は、ランク指標により示されていてもよいし、或いは、それに代えて、指標情報は、アンテナアレイの複数の列について、同じ垂直コードワードがフィードバックされているか否かにより示されている。
【００７５】
本開示の実施形態において、複数の参照信号は、アンテナアレイにおける列の一部について送信されてもよい。例えば、アンテナアレイにおける列の一部は、所定値より大きいスペースを有するアンテナアレイにおける列を構成している。
【００７６】
更に、装置８００は、プリコーディング情報フィードバックの設定を初期化するよう構成されてもよい設定初期化部８４０を備えてもよい。初期に受信したプリコーディング情報フィードバックは、プリコーディング情報フィードバックの初期化された設定に基づいて送信されてもよい。プリコーディング情報フィードバックの初期化された設定は、ＵＥに、アンテナアレイにおける複数の列についての１つの垂直プリコーディング行列指標のみをフィードバックするＵＥであることを示してもよいし、または、アンテナアレイにおける複数の列についての複数の垂直プリコーディング行列指標をフィードバックするＵＥであることを示してもよい。
【００７７】
更に、装置８００は、フィードバック受信部８５０と、行列生成部８６０と、データ送信部８７０と、を備えてもよい。フィードバック受信部８５０は、複数の垂直プリコーディング行列指標と１つの水平垂直プリコーディング行列指標とを含むプリコーディング情報フィードバックを受信するよう構成されていてもよい。行列生成部８６０は、受信したプリコーディング情報フィードバックに含まれる、複数の垂直プリコーディング行列指標と水平垂直プリコーディング行列指標とに基づいて３次元プリコーディング行列を生成するよう構成されていてもよい。データ送信部８７０は、３次元プリコーディング行列に基づいてプリコーディングされた後のデータを送信するよう構成されていてもよい。
【００７８】
装置８００において、行列生成部８６０は、対応する垂直プリコーディング行列指標を有さない、アンテナアレイにおける列について、列の近くに位置する列のプリコーディング行列指標で内挿することにより、その列の垂直プリコーディング行列指標の方向を決定するよう構成されていてもよい。または、これに代えて、行列生成部８６０は、列の近くに位置する１つの列のプリコーディング行列指標として、その列の垂直プリコーディング行列指標の方向を決定するよう構成されていてもよい。
【００７９】
なお、オーバーヘッドを低減するために、３次元プリコーディングについての垂直コードブックが、所定範囲内に制限されたサイズを有する。更に、プリコーディング情報フィードバックは、所定のプリコーディング行列指標に関連する垂直プリコーディング行列指標オフセットを備えてもよい。
【００８０】
図９は、３次元の複数入力複数出力システムにおけるチャネル評価およびフィードバックのための装置を示し、これはＵＥに使用されてもよい。図示されているように、装置９００は、信号受信部９１０と、測定実行部９２０と、情報送信部９３０と、を備えてもよい。信号受信部９１０は、アンテナアレイにおける複数の列についての複数の参照信号を受信するよう構成されていてもよい。測定実行部９２０は、複数の参照信号に関する測定を実行するよう構成されていてもよい。情報送信部９３０は、測定に基づいて、プリコーディング情報フィードバックの設定調整に関する指標情報を送信するよう構成されていてもよい。
【００８１】
本開示の実施形態において、指標情報は、複数の垂直プリコーディング情報フィードバックが性能の向上を得られるか否かを示す。複数の垂直プリコーディング情報フィードバックは、アンテナアレイにおける複数の列についての複数の垂直プリコーディング行列指標のフィードバックを表してもよい。また、指標情報は、複数の垂直プリコーディング情報フィードバックのアップリンクリソースについてのリソース要求であってもよい。
【００８２】
本開示の実施形態において、指標情報送信部は、チャネル品質フィードバック情報の追加ビットの中に指標情報を含ませる、または、ランク指標により指標情報を示す、または、アンテナアレイの複数の列について同一の垂直コードワードが送信されるか否かにより指標情報を示すよう構成されている。
【００８３】
なお、装置９００は、更に、設定受信部９４０とフィードバック送信部９５０とを備えていてもよい。設定受信部９４０は、プリコーディング情報フィードバックの初期化された設定を受信するよう構成されていてもよい。フィードバック送信部９５０は、最初、プリコーディング情報フィードバックの初期化された設定に基づいてプリコーディング情報フィードバックを送信するよう構成されていてもよい。加えて、設定受信部９４０は、更に、プリコーディング情報フィードバックの調整された設定を受信するよう構成されていてもよい。フィードバック送信部９５０は、更に、プリコーディング情報フィードバックの調整された設定に基づいて、アンテナアレイにおける複数の列についての複数の垂直プリコーディング行列指標を含むプリコーディング情報フィードバックを送信するよう構成されていてもよい。
【００８４】
加えて、３次元プリコーディングについての垂直コードブックは、所定範囲内に制限されたサイズを有するものであってもよい。その上、プリコーディング情報フィードバックは、所定のプリコーディング行列指標に関する垂直プリコーディング行列指標オフセットを備えていてもよい。
【００８５】
更に、図１０Ａから図１０Ｅは、本発明の実施形態および先行技術の既存の解決手段に関して作成されたシミュレーション結果を示す。シミュレーションで使用されたパラメータは、表１に羅列されている。
【表２】
2016533098.tif 000008
【００８６】
これらのシミュレーションにおいて、本開示で提案されたような形式、ＷＯ２０１３／０２４３５１  Ａ１で開示されているような解決手段およびＲ１−１１２４２０で開示されているような解決手段がシミュレーションされており、これらの図においてそれぞれＳｃｈ１、Ａｒｔ１およびＡｒｔ２により示されている。
【００８７】
図１０Ａおよび１０Ｂは、０．５ラムダランク１の場合、０．５λスペースおよび４λスペースでのスループットＣＤＦを示し、Ｓｃｈ１により得られる平均利得は、表３で与えられる。
【表３】
2016533098.tif 000009
【００８８】
２つの図および表３から、本開示において提供された解決手段は、先行技術のＡｒｔ１およびＡｒｔ２と比較していくらか性能の改善を達成しうるかもしれず、アンテナアレイがより大きいスペースを有するほど、より性能の改善が達成されうることが判るかもしれない。
【００８９】
図１０Ｃおよび図１０Ｄは０．５ラムダ  ランク２の場合の０．５λスペースおよび４λスペースでのスループットＣＤＦを示し、Ｓｃｈ１で得られる平均利得は、表４で与えられる。
【表４】
2016533098.tif 000010
【００９０】
図１０Ｃおよび１０Ｄから、本開示において提案された解決手段はＡｒｔ１およびＡｒｔ２と比較して顕著な改善を達成しうることが判るであろう。このことはランク２のようなより高いランクについて複数の垂直プリコーディング情報フィードバックを適用することがかなり適切であることを意味する。
【００９１】
図１０Ｅは、アンテナアレイにおける異なる列についてのＰＭＩオフセットＣＤＦを示す。シミュレーション結果から、ＰＭＩの大半は、−５から５までのオフセットを有し、このことは、それらの大半が関連していることを意味する。このように、ＰＭＩオフセットが十分にオーバーヘッドを低減しうることは明らかである。
【００９２】
即ち、本開示の実施形態において、３Ｄ−ＭＩＭＯシステムにおけるチャネル評価およびフィードバックについて新しい解決手段が提供され、それは、より正確なビーム形成および／またはより高次の空間マルチプレクシングを達成し、それによって、３Ｄ−ＭＩＭＯシステムの性能を改善する。
【００９３】
本開示の実施形態は、以上において例示的なシステムを参照しながら説明されたと認められるべきである。但し、本明細書で示すことに基づいて、本分野の当業者であれば、本開示で提案された解決手段を、上記の例示的なシステムとは異なる構造を有するシステムに適用してもよい。
【００９４】
また、いくつかの動作は単一のステップ、ユニットまたはモジュールで記述されているが、これらは分離されたステップ、ユニットまたはモジュールで実行されてもよいと認められるべきである。一方、分離されたステップ、ユニットまたはモジュールで記述されたいくつかの動作は、同様に、単一のステップ、ユニットおよびモジュールにおいて実行されてもよい。
【００９５】
加えて、上述に基づいて、本分野の当業者であれば、本開示が装置、方法またはコンピュータプログラム製品に組み込まれていてもよいことは判るであろう。一般的に、種々の例示的な実施形態は、ハードウェア、専用回路、ソフトウェア、論理回路またはこれらの組み合わせにおいて実現されてもよい。例えば、いくつかの観点は、ハードウェアにおいて実現されてもよく、一方他の観点は、制御装置、マイクロプロセッサまたは他のコンピュータ装置により実行されうるファームウェアまたはソフトウェアにおいて実現されていてもよいが、本開示はこれらに限定されない。本開示の例示的な実施形態の種々の観点は、ブロック図、フローチャートまたは他のいくつかの図を使った表現で示され説明されているかもしれないが、本明細書に記述されているこれらのブロック、装置、システム、技術または方法は、これらの例に限定されるわけではないが、ハードウェア、ソフトウェア、ファームウェア、専用回路または論理回路、汎用ハードウェアまたは制御装置または他のコンピュータ装置またはこれらのいくつかの組み合わせにおいて実現されていてもよい。
【００９６】
添付図面に示されている種々のブロックは、方法ステップ、および／または、コンピュータプログラムコードの動作の結果得られる動作、および／または、関連する機能を実行するよう構築され、互いに組み合わされた複数の論理回路要素と看做してもよい。本開示の例示的な実施形態の少なくともいくつかの観点は、集積回路チップおよびモジュールのような種々の部品において実行されてもよく、本開示の例示的な実施形態は、本開示の例示的な実施形態に従って動作するよう構成されうる集積回路、ＦＰＧＡまたはＡＳＩＣとして組み込まれた装置において実現されてもよい。
【００９７】
この明細書は多数の特定の実施の詳細を含んでいるが、これらはあらゆる開示または請求の範囲を限定するものというよりはむしろ、特定の開示の特定の実施形態に特有の特徴の説明として解釈されるべきである。また、この明細書において別々の実施形態の文脈に記述されたある特徴は、単一の実施形態における組み合わせにおいて実施されうる。また、逆に、単一の実施形態の文脈に記述された種々の特徴は、複数の実施形態に分離されまたは適当なサブ組み合わせのいずれかにおいて実施されてもよい。その上、特徴は前述においてある組み合わせにおいて動作するよう記述されるとともに最初にこのように請求されるかもしれないが、請求される組み合わせからの１または複数の特徴は、いくつかの場合において、組み合わせから削除されてもよく、また、請求された組み合わせはサブ組合わせまたはサブ組み合わせの変形例にされていてもよい。
【００９８】
同様に、図では動作が特定の順番で表されているが、これは、このような動作が、所望の結果を達成するために、図示されている特定の順番によりまたは順序立てて実行される、或いは、全ての例示された動作が実行されることが要求されるものと理解されるべきではない。ある環境では、マルチタスク処理および並行処理が有利かもしれない。その上、前述の実施形態における種々のシステム要素の分離は、全ての実施形態においてこのような分離が要求されるものと理解されるべきではなく、記述されたプログラム要素およびシステムが一般的に単一のソフトウェア製品の中に一緒に集積されるまたは複数のソフトウェア製品に集約されてもよいと理解されるべきである。
【００９９】
本開示の前述の例示的な実施形態に対する種々の修正、改造は、関連分野の当業者であれば、添付図面を組み合わせて本明細書を読むと、前述の観点から明らかなものとなるかもしれない。いずれかおよび全ての修正は、本開示の非限定的且つ例示的な実施形態の範囲内に入るであろう。更に、本明細書で明らかにされた本開示の他の実施形態は、前述の記載および関連する図面で示唆されている技術の利益を有するものとして、本開示の実施形態の属する分野の当業者が思い浮かべるだろう。
【０１００】
即ち、本開示の実施形態は、開示されている特定の実施形態に限定されず、修正および他の実施形態が、添付の請求項の範囲内に含まれることが意図される。本明細書では特定の用語が使用されているが、これらは一般的且つ記述的な意味でのみ使用され、限定目的で使用されない。
【０１０１】
（付記１）
３次元複数入力複数出力システムにおけるチャネル評価およびフィードバックのための方法であって、
アンテナアレイにおける複数の列についての複数の参照信号を送信することと、
プリコーディング情報フィードバックの設定調整に関する、前記複数の参照信号に関する測定に基づいた指標情報を受信することと、
複数の垂直プリコーディング情報フィードバックが性能を向上しうるときにそれが可能となるように、前記指標情報に基づいて前記プリコーディング情報フィードバックの設定を調整することと、を含み、
前記垂直プリコーディング情報フィードバックは、前記アンテナアレイにおける前記複数の列についての複数の垂直プリコーディング行列指標をフィードバックすることを表す、
方法。
【０１０２】
（付記２）
前記指標情報は、前記複数の垂直プリコーディング情報フィードバックが性能の向上を得られるか否かを示す、
付記１に記載の方法。
【０１０３】
（付記３）
前記指標情報は、前記複数の垂直プリコーディング情報フィードバックにより得られる性能の向上が、所定の閾値よりも高いか否かを示す、
付記１または２に記載の方法。  
【０１０４】
（付記４）
前記指標情報は、前記垂直プリコーディング情報フィードバックのアップリックリソースについてのリソース要求である、
付記１から３のいずれかに記載の方法。  
【０１０５】
（付記５）
前記指標情報は、ユーザ装置からのチャネル品質フィードバック情報の追加ビットに含まれている、
付記１から４のいずれかに記載の方法。  
【０１０６】
（付記６）
前記指標情報は、ランク指標により示される、
付記１から５のいずれかに記載の方法。
【０１０７】
（付記７）
前記指標情報は、同一の垂直コードワードが、前記アンテナアレイの複数の列についてフィードバックされるか否かにより示される、
付記１から６のいずれかに記載の方法。
【０１０８】
（付記８）
前記複数の参照信号は、前記アンテナアレイの列の一部について送信される、
付記１から７のいずれかに記載の方法。
【０１０９】
（付記９）
前記アンテナアレイにおける前記列の一部は、前記アンテナアレイにおける、所定値よりも大きいスペースを有する列を構成する、
付記８に記載の方法。
【０１１０】
（付記１０）
前記アンテナアレイにおける前記列の一部は、前記アンテナアレイの両側に配置される列を構成する、
付記９に記載の方法。
【０１１１】
（付記１１）
前記プリコーディング情報フィードバックの初期化を行うこと、更にを含み、
最初に受信したプリコーディング情報フィードバックは、前記プリコーディング情報フィードバックの初期化された設定に基づいて、送信される、
付記１から１０のいずれかに記載の方法。
【０１１２】
（付記１２）
前記プリコーディング情報フィードバックの初期化された設定は、前記ＵＥに、
前記アンテナアレイにおける前記複数の列についての１つの垂直プリコーディング行列指標のみをフィードバックする、または、
前記アンテナアレイにおける前記複数の列についての複数の垂直プリコーディング行列指標をフィードバックすることを示す、
付記１１に記載の方法。  
【０１１３】
（付記１３）
複数の垂直プリコーディング行列指標と１つの水平垂直プリコーディング行列指標とを含むプリコーディング情報フィードバックを受信することと、
受信した前記プリコーディング情報フィードバックに含まれる前記複数の垂直プリコーディング行列指標と前記水平垂直プリコーディング行列指標とに基づいて、３次元プリコーディング行列を生成することと、
前記３次元プリコーディング行列に基づいてプリコーディングされた後のデータを送信することと、を更に含む、
付記１から１２のいずれかに記載の方法。  
【０１１４】
（付記１４）
対応する垂直プリコーディング行列指標を有さない前記アンテナアレイにおける列について、前記列の近くの列のプリコーディング行列指標で内挿することにより、または、前記列の近くの列のプリコーディング行列指標として、前記列についての前記垂直プリコーディング行列指標の方向が決定される、
付記１３に記載の装置。  
【０１１５】
（付記１５）
３次元プリコーディングのための垂直コードブックは、所定の範囲に限定されたサイズを有する、
付記１から１４のいずれかに記載の方法。  
【０１１６】
（付記１６）
前記プリコーディング情報フィードバックは、所定のプリコーディング行列指標に関する垂直プリコーディング行列指標オフセットを構成する、
付記１から１５のいずれかに記載の方法。
【０１１７】
（付記１７）
３次元複数入力複数出力システムにおけるチャネル評価およびフィードバックのための方法であって、
アンテナアレイにおける複数の列についての複数の参照信号を受信することと、
前記複数の参照信号に関する測定を実行することと、
前記測定に基づいて、プリコーディング情報フィードバックの設定調整に関する指標情報を送信することと、を含む、
方法。
【０１１８】
（付記１８）
前記指標情報は、複数の垂直プリコーディング情報フィードバックが性能の向上を得られるか否かを示し、
前記複数の垂直プリコーディング情報フィードバックは、前記アンテナアレイにおける前記複数の列についての複数の垂直プリコーディング行列指標をフィードバックすることを表す、
付記１７に記載の方法。
【０１１９】
（付記１９）
前記指標情報は、前記複数の垂直プリコーディング情報フィードバックにより得られる性能の向上が、所定の閾値よりも高いか否かを示す、
付記１７または１８に記載の方法。  
【０１２０】
（付記２０）
前記指標情報は、前記垂直プリコーディング情報フィードバックのアップリックリソースについてのリソース要求である、
付記１７から１９のいずれかに記載の方法。  
【０１２１】
（付記２１）
前記指標情報は、チャネル品質フィードバック情報の追加ビットに含まれている、
付記１７から２０のいずれかに記載の方法。  
【０１２２】
（付記２２）
前記指標情報は、ランク指標により示される、
付記１７から２１のいずれかに記載の方法。
【０１２３】
（付記２３）
前記指標情報は、同一の垂直コードワードが、前記アンテナアレイの前記複数の列について送信されるか否かにより示される、
付記１７から２２のいずれかに記載の方法。
【０１２４】
（付記２４）
前記プリコーディング情報フィードバックの初期化された設定を受信することと、
最初に、前記プリコーディング情報フィードバックの前記初期化された設定に基づいて、前記プリコーディング情報フィードバックを送信することと、を更に含む、
付記１７から２３のいずれかに記載の方法。
【０１２５】
（付記２５）
前記プリコーディング情報フィードバックの調整された設定を受信することと、
前記プリコーディング情報フィードバックの前記調整された設定に基づいて、前記アンテナアレイにおける前記複数の列についての複数の垂直プリコーディング行列指標を含むプリコーディング情報フィードバックを送信することと、を更に含む、
付記１７から２４のいずれかに記載の方法。  
【０１２６】
（付記２６）
３次元プリコーディングのための垂直コードブックは、所定の範囲に限定されたサイズを有する、
付記１７から２５のいずれかに記載の方法。  
【０１２７】
（付記２７）
前記プリコーディング情報フィードバックは、所定のプリコーディング行列指標に関する垂直プリコーディング行列指標オフセットを構成する、
付記１７から２６のいずれかに記載の方法。
【０１２８】
（付記２８）
３次元複数入力複数出力システムにおけるチャネル評価およびフィードバックのための装置であって、
アンテナアレイにおける複数の列についての複数の参照信号を送信するよう構成された信号送信部と、
プリコーディング情報フィードバックの設定調整に関する、前記複数の参照信号に関する測定に基づいた指標情報を受信するよう構成された情報受信部と、
複数の垂直プリコーディング情報フィードバックが性能を向上しうるときにそれが可能となるように、前記指標情報に基づいて前記プリコーディング情報フィードバックの設定を調整するよう構成された設定調整部と、を備え、
前記垂直プリコーディング情報フィードバックは、前記アンテナアレイにおける前記複数の列についての複数の垂直プリコーディング行列指標をフィードバックすることを表す、
装置。
【０１２９】
（付記２９）
前記指標情報は、前記複数の垂直プリコーディング情報フィードバックが性能の向上を得られるか否かを示す、
付記２８に記載の装置。
【０１３０】
（付記３０）
前記指標情報は、前記複数の垂直プリコーディング情報フィードバックにより得られる性能の向上が、所定の閾値よりも高いか否かを示す、
付記２８または２９に記載の装置。  
【０１３１】
（付記３１）
前記指標情報は、前記垂直プリコーディング情報フィードバックのアップリックリソースについてのリソース要求である、
付記２８から３０のいずれかに記載の装置。  
【０１３２】
（付記３２）
前記指標情報は、ユーザ装置からのチャネル品質フィードバック情報の追加ビットに含まれ、または、
前記指標情報は、ランク指標により示され、または、
前記指標情報は、同一の垂直コードワードが、前記アンテナアレイの前記複数の列についてフィードバックされるか否かにより示される、
付記２８から３１のいずれかに記載の装置。
【０１３３】
（付記３３）
前記複数の参照信号は、前記アンテナアレイの列の一部について送信される、
付記２８から３２のいずれかに記載の装置。
【０１３４】
（付記３４）
前記アンテナアレイにおける前記列の一部は、前記アンテナアレイにおける、所定値よりも大きいスペースを有する列を構成する、
付記３３に記載の装置。
【０１３５】
（付記３５）
前記アンテナアレイにおける前記列の一部は、前記アンテナアレイの両側に配置される列を構成する、
付記３４に記載の装置。
【０１３６】
（付記３６）
前記プリコーディング情報フィードバックの設定を初期化するよう構成された設定初期化部を更に備え、
最初に受信したプリコーディング情報フィードバックは、前記プリコーディング情報フィードバックの前記初期化された設定に基づいて、送信される、
付記２８から３５のいずれかに記載の方法。
【０１３７】
（付記３７）
前記プリコーディング情報フィードバックの前記初期化された設定は、前記ＵＥに、
前記アンテナアレイにおける前記複数の列についての１つの垂直プリコーディング行列指標のみをフィードバックする、または、
前記アンテナアレイにおける前記複数の列についての複数の垂直プリコーディング行列指標をフィードバックすることを示す、
付記３６に記載の装置。  
【０１３８】
（付記３８）
複数の垂直プリコーディング行列指標と１つの水平垂直プリコーディング行列指標とを含むプリコーディング情報フィードバックを受信するよう構成されたフィードバック受信部と、
受信した前記プリコーディング情報フィードバックに含まれる前記複数の垂直プリコーディング行列指標と前記水平垂直プリコーディング行列指標とに基づいて、３次元プリコーディング行列を生成するよう構成された行列生成部と、
前記３次元プリコーディング行列に基づいてプリコーディングされた後のデータを送信するよう構成されたデータ送信部と、を更に備える、
付記２８から３７のいずれかに記載の装置。  
【０１３９】
（付記３９）
前記行列生成部は、対応する垂直プリコーディング行列指標を有さないアンテナアレイにおける列について、前記列の近くの列のプリコーディング行列指標で内挿することにより、または、前記列の近くの列のプリコーディング行列指標として、前記列についての前記垂直プリコーディング行列指標の方向を決定するよう構成されている、
付記３８に記載の装置。  
【０１４０】
（付記４０）
３次元プリコーディングのための垂直コードブックは、所定の範囲に限定されたサイズを有する、
付記２８から３９のいずれかに記載の装置。  
【０１４１】
（付記４１）
前記プリコーディング情報フィードバックは、所定のプリコーディング行列指標に関する垂直プリコーディング行列指標オフセットを構成する、
付記２８から４０のいずれかに記載の装置。
【０１４２】
（付記４２）
３次元複数入力複数出力システムにおけるチャネル評価およびフィードバックのための装置であって、
アンテナアレイにおける複数の列についての複数の参照信号を受信するよう構成された信号受信部と、
前記複数の参照信号に関する測定を実行するよう構成された測定実行部と、
前記測定に基づいて、プリコーディング情報フィードバックの設定調整に関する指標情報を送信するよう構成された情報送信部と、を備える、
装置。
【０１４３】
（付記４３）
前記指標情報は、複数の垂直プリコーディング情報フィードバックが性能の向上を得られるか否かを示し、
前記複数の垂直プリコーディング情報フィードバックは、前記アンテナアレイにおける前記複数の列についての複数の垂直プリコーディング行列指標をフィードバックすることを表す、
付記４２に記載の装置。
【０１４４】
（付記４４）
前記指標情報は、前記複数の垂直プリコーディング情報フィードバックにより得られる性能の向上が、所定の閾値よりも高いか否かを示す、
付記４２または４３に記載の装置。  
【０１４５】
（付記４５）
前記指標情報は、前記垂直プリコーディング情報フィードバックのアップリックリソースについてのリソース要求である、
付記４２から４４のいずれかに記載の装置。  
【０１４６】
（付記４６）
前記指標情報送信部は、
前記指標情報を、チャネル品質フィードバック情報の追加ビットに含ませ、
ランク指標により前記指標情報を示し、
同一の垂直コードワードが前記アンテナアレイの前記複数の列について送信されるか否かにより前記指標情報を示す、
付記４２から４５のいずれかに記載の装置。
【０１４７】
（付記４７）
前記プリコーディング情報フィードバックの初期化された設定を受信するよう構成された設定受信部と、
最初に、前記プリコーディング情報フィードバックの前記初期化された設定に基づいて、前記プリコーディング情報フィードバックを送信するよう構成されたフィードバック送信部と、を更に備える、
付記４２から４６のいずれかに記載の装置。
【０１４８】
（付記４８）
前記プリコーディング情報フィードバックの調整された設定を受信するよう構成された設定受信部と、
前記プリコーディング情報フィードバックの前記調整された設定に基づいて、前記アンテナアレイにおける前記複数の列についての複数の垂直プリコーディング行列指標を含むプリコーディング情報フィードバックを送信するよう構成されたフィードバック送信部と、を更に備える、
付記４２から４７のいずれかに記載の装置。  
【０１４９】
（付記４９）
３次元プリコーディングのための垂直コードブックは、所定の範囲に限定されたサイズを有する、
付記４２から４８のいずれかに記載の装置。  
【０１５０】
（付記５０）
前記プリコーディング情報フィードバックは、所定のプリコーディング行列指標に関する垂直プリコーディング行列指標オフセットを構成する、
付記４２から４９のいずれかに記載の装置。
【図１】
2016533098.tif 000011
【図２】
2016533098.tif 000012
【図３】
2016533098.tif 000013
【図４】
2016533098.tif 000014
【図５】
2016533098.tif 000015
【図７】
2016533098.tif 000016
【図８】
2016533098.tif 000017
【図９】
2016533098.tif 000018
【図６】
2016533098.tif 000019
【図１０Ａ】
2016533098.tif 000020
【図１０Ｂ】
2016533098.tif 000021
【図１０Ｃ】
2016533098.tif 000022
【図１０Ｄ】
2016533098.tif 000023
【図１０Ｅ】
2016533098.tif 000024
【国際調査報告】
2016533098.tif 000025
2016533098.tif 000026